(57)【要約】【課題】  長いコードを有するＡＣアダプタを持ち出すことなく、外出先等で携帯端末の充電が行え、複数の機種の携帯端末を外出先等で充電する場合にも対応可能とする。【解決手段】  充電器２０は、携帯電話端末１０の二次側コイル１１に対して一次側コイル２１から電磁誘導により電力を供給することで、携帯電話端末１０のバッテリを充電する。また、充電器２０は、表ケース２２と裏ケース２３及び伸縮可能なアーム部２５，２６により、一次側コイル２１と携帯電話端末１０の二次側コイル１１の両者のコイル面同士の位置を合わせると同時に厚みの異なる機種の携帯電話端末を保持可能となされている。そして、充電器２０は、家庭用コンセントに接続するための栓刃部３０と、ＡＣアダプタに接続された電源用コネクタを差し込むコネクタ差し込み口とを有しており、それらを切り替えて使用可能となされている。【選択図】  図７
2008067532.tif 000002
【特許請求の範囲】
【請求項１】
携帯端末に備えられた二次側コイルに対して電磁誘導により電力を供給する一次側コイルと、
上記一次側コイルと上記携帯端末に備えられた二次側コイルの両者のコイル面同士の位置を合わせると同時に、少なくとも厚みの異なる携帯端末を保持するための調整機構を備えた端末保持部と、
所定のコンセントに接続するための栓刃部を格納する栓刃格納部と、
所定のＡＣアダプタに接続された電源用コネクタを差し込むコネクタ差し込み口と、
上記栓刃部を介して電力が供給された時には当該栓刃部からの電力を所定の高周波電流に変換し、上記電源用コネクタを介して電力が供給された時には当該電源用コネクタからの電力を所定の高周波電流に変換して、上記一次側コイルへ供給する一次側回路部とを有する、
ことを特徴とする携帯端末充電器。
【請求項２】
上記端末保持部は、第１，第２の二つのケースと、上記第１，第２の二つのケースの相対応する面間の間隔を調整する間隔調整部とを有して、上記第１，第２の二つのケースの相対応する面により、上記一次側コイルと上記携帯端末の二次側コイルの両者のコイル面側を合わせた状態で上記携帯端末を挟持し、
上記一次側コイルは、第１，第２の二つのケースの少なくとも何れか一方に配されていることを特徴とする請求項１記載の携帯端末充電器。
【請求項３】
上記間隔調整部は、上記第１，第２のケースの相対応する両面側に設けられた伸縮可能なアーム部を有し、当該アーム部の伸縮により上記第１，第２の二つのケースの相対応する面間の間隔を調整することを特徴とする請求項２記載の携帯端末充電器。
【請求項４】
上記アーム部は、伸縮方向の両端部に回転軸を有し、
上記回転軸は、上記第１，第２のケースの面上に設けられた台座部に軸支されており、
上記間隔調整部は、上記第１，第２のケースを上記回転軸の回転可能な方向へ相対的に移動させることを特徴とする請求項３記載の携帯端末充電器。
【請求項５】
上記間隔調整部は、
上記第１，第２のケースの相対応する両面側に設けられたアーム部を有し、
上記アーム部は、その両端部に回転軸を有し、
上記回転軸は、上記第１，第２のケースの面上に設けられた台座部に軸支されており、
上記第１，第２のケースを上記回転軸の回転可能な方向へ相対的に移動させることを特徴とする請求項２記載の携帯端末充電器。
【請求項６】
上記第１，第２の二つのケースの少なくとも何れか一方は、上記一次側コイルと上記携帯端末の二次側コイルの両者のコイル面同士の位置を、上記携帯端末の長尺方向で合わせるための位置規制部を有することを特徴とする請求項２記載の携帯端末充電器。
【請求項７】
上記第１，第２の二つのケースの少なくとも何れか一方は、上記一次側コイルと上記携帯端末の二次側コイルの両者のコイル面同士の位置を上記携帯端末の短尺方向で合わせると同時に、当該携帯端末をその短尺方向に挟持する短尺方向挟持部を有することを特徴とする請求項２記載の携帯端末充電器。
【請求項８】
上記栓刃格納部は、上記栓刃部を収納及び引き出し可能に格納することを特徴とする請求項１記載の携帯端末充電器。
【発明の詳細な説明】
【技術分野】
【０００１】
本発明は、携帯電話端末等の携帯端末のバッテリを充電するための携帯端末充電器に関する。
【背景技術】
【０００２】
近年は、携帯電話端末やＰＤＡ等のような小型の携帯端末が広く普及している。これらの携帯端末は、一般に、充電可能なバッテリから供給される電力により動作するものである。また、当該バッテリへの充電は、一般に、その携帯端末専用の充電器により行われている。
【０００３】
ここで、バッテリへの充電方式には、大別して、携帯端末と充電器の両者の充電端子を接触させた状態で充電を行う接触型充電方式と、充電端子のような接触部を介さずに充電を行う非接触型充電方式とがある。接触型充電方式の場合は、携帯端末と充電器の両者の充電端子同士を接触させるための高い精度の位置合わせが必要とされ、また、充電端子が外部に露出されているために、それら充電端子の酸化や腐食等に起因した接触不良が発生する虞れがあるのに対し、非接触型充電方式の場合は、端子同士の高精度な位置合わせが必要なく、また接触不良の問題が発生しないことが特徴となっている。
【０００４】
上記非接触型充電方式が適用された装置の一例として、特開平９−２２３５２０号の公開特許公報（特許文献１）には、充電装置の筐体に二次電池収納体挿入部を設け、その二次電池収納体挿入部に二次電池収納体を装着して充電を行う場合において、二次電池収納体挿入部近傍に設けられた平面状の一次線輪と、二次電池収納体の側面に設けられた平面状の二次線輪とを具備し、二次電池収納体を二次電池収納体挿入部へ装着した時に、一次線輪及び二次線輪の電磁誘導により非接触充電を行うようにした充電装置が開示されている。
【０００５】
また、特願２０００−１３９０３３号の公開特許公報（特許文献２）には、一次コイルを内蔵する充電器と、二次コイル及び蓄電池を有する被充電物とを備え、充電器と被充電物とを近接させて、両コイルの電磁誘導作用により蓄電池に電気を充電する場合において、充電器と被充電物を少なくとも二段階の充電間隔に調整する保持手段を備えるようにした充電装置が開示されている。
【０００６】
【特許文献１】特開平９−２２３５２０号公報（図１）
【特許文献１】特開２０００−１３９０３３号公報（図１）
【発明の開示】
【発明が解決しようとする課題】
【０００７】
ところで、携帯端末の一例である携帯電話端末の充電器は、一般に、家庭用コンセントに接続される栓刃とＡＣ−ＤＣコンバータとを内蔵したＡＣアダプタと、そのＡＣアダプタから延びるコードが接続されると共に携帯電話端末を保持して当該携帯電話端末への充電を行うホルダ部とがセットになされている。
【０００８】
また、ＡＣアダプタから延びるコードの先端には、携帯電話端末のコネクタと嵌合可能となされたＩ／Ｏコネクタが設けられていることが多く、この場合、ホルダ部は、上記Ｉ／Ｏコネクタの差し込み口を備えており、その差し込み口を通じて上記ＡＣアダプタから供給された電力を、携帯電話端末への充電電力として供給する。
【０００９】
これらのことから、例えば、或る程度長期の旅行に出かける時のように、外出先で携帯電話端末の充電を行う必要がある場合、当該端末の使用者は、上記ホルダ部の差し込み口からＩ／Ｏコネクタを取り外してＡＣアダプタを持ち出し、外出先の家庭用コンセントにＡＣアダプタの栓刃を差し込み、そして、当該ＡＣアダプタから延びるコードの先に設けられているＩ／Ｏコネクタを、携帯電話端末のコネクタに差し込んで充電を行うことになる。
【００１０】
このように、従来は、外出先で携帯電話端末の充電を行う場合には、コードが繋がったＡＣアダプタを持ち出す必要があり、当該ＡＣアダプタの長いコードが嵩張り、非常に持ち運びが不便であると共に、長いコードの収納や扱いにも苦労することになる。
【００１１】
また、従来の充電器の場合、ＡＣアダプタについては携帯電話端末の各機種で共通の仕様となされていることもあるが、ホルダ部については一般に各機種専用のものとなされている。このため、例えば家族等がそれぞれ異なる機種の携帯電話端末を持って旅行等に出かける場合には、一般には上記共通仕様のＡＣアダプタのみを持ち出し、各機種毎の専用のホルダ部まで持ち出すようなことは行われていない。
【００１２】
本発明は、このような実情に鑑みて提案されたものであり、長いコードが嵩張り且つ扱いにも困るＡＣアダプタを持ち出すことなく、外出先等で携帯端末の充電を行うことが可能で、さらには、例えば複数の機種の携帯端末を外出先等で充電する場合にも対応可能な、携帯端末充電器を提供することを目的とする。
【課題を解決するための手段】
【００１３】
本発明の携帯端末充電器は、携帯端末に備えられた二次側コイルに対して電磁誘導により電力を供給する一次側コイルと、その一次側コイルと携帯端末に備えられた二次側コイルとの両者のコイル面同士の位置を合わせると同時に少なくとも厚みの異なる携帯端末を保持するための調整機構を備えた端末保持部と、所定のコンセントに接続するための栓刃部を格納する栓刃格納部と、所定のＡＣアダプタに接続された電源用コネクタを差し込むコネクタ差し込み口と、栓刃部を介して電力が供給された時には当該栓刃部からの電力を所定の高周波電流に変換し、電源用コネクタを介して電力が供給された時には当該電源用コネクタからの電力を所定の高周波電流に変換して、一次側コイルへ供給する一次側回路部とを有することにより、上述した課題を解決する。
【００１４】
すなわち、本発明によれば、電磁誘導により携帯端末へ電力を供給するようになされており、また、所定のコンセントと所定のＡＣアダプタの二方式の電源を利用して携帯端末を充電可能となされおり、さらに、少なくとも厚みの異なる携帯端末を保持する調整機構を備えている。
【発明の効果】
【００１５】
本発明においては、電磁誘導により携帯端末へ電力を供給するようになされているため充電端子が不要であり、また、所定のコンセントと所定のＡＣアダプタの二方式の電源を利用して携帯端末を充電可能となされているため、コード等が嵩張るＡＣアダプタを外出先等に持ち出す必要がなく、さらに、少なくとも厚みの異なる携帯端末を保持する調整機構を備えているため、複数の機種の携帯端末を外出先等で充電する場合にも対応可能である。
【発明を実施するための最良の形態】
【００１６】
以下、図面を参照しながら、本発明の一実施形態について説明する。
【００１７】
本実施形態では、本発明の携帯端末充電器の一例として、携帯電話端末を保持すると共に当該携帯電話端末のバッテリを電磁誘導方式により非接触充電する機能を備えた充電器を挙げているが、もちろん、ここで説明する内容はあくまで一例であり、本発明はこの例に限定されないことは言うまでもなく、例えばＰＤＡ（Personal Digital Assistants）等のように充電可能なバッテリにより駆動される各種の携帯端末用の充電器にも適用可能である。
【００１８】
〔非接触型無接点充電方式対応の携帯電話端末〕
図１及び図２には、電磁誘導により充電器から充電電力が伝送される二次側コイル１１を筐体内部に備えた携帯電話端末１０の概略的な外観を示す。なお、図１には、本実施形態の携帯電話端末１０を正面ディスプレイ１２側から観た概略外観図を、図２には、本実施形態の携帯電話端末１０を筐体側面側から観た概略外観図を示している。
【００１９】
これら図１及び図２に示すように、二次側コイル１１は、リング状或いはスパイラル状に巻回された扁平コイルとなされており、携帯電話端末１０の例えば背面側（この例ではディスプレイ側に対する背面側）の筐体内で且つ扁平な面（コイル面とする）側が当該端末１０の筐体背面側に向くように配置されている。当該二次側コイル１１は、後述する充電器２０に設けられている一次側コイル２１から発生される磁束或いは磁力線により電流又は電圧が誘起される。そして、当該二次側コイル１１に誘起された電流又は電圧は、当該携帯電話端末１０の図示を省略している保護回路を介して、同じく図示を省略しているバッテリ（二次電池）へ充電電力として供給される。
【００２０】
〔非接触型無接点充電方式対応の充電器〕
図３〜図９には、上記携帯電話端末１０を電磁誘導による非接触型無接点充電方式により充電する本発明実施形態の充電器２０の概略的な外観を示す。なお、図３には本実施形態の充電器２０を正面側から観た概略外観図を、図４には本実施形態の充電器２０を図３の右側面側から観た概略外観図を、図５には本実施形態の充電器２０を図３中の一点鎖線Ｃにて切断して右側から観た概略断面図を、図６には本実施形態の充電器２０を図３の正面に対する背面側から観た概略外観図を、図７には本実施形態の充電器２０に上記携帯電話端末１０を保持させて図５同様に右側から観た概略断面図を、図８には本実施形態の充電器２０を携帯電話端末１０の置き台として使用する場合の右側から観た概略断面図を、図９には本実施形態の充電器２０に図７や図８の場合よりも厚みが大きい携帯電話端末６０を保持させて図７と同様に右側から観た概略断面図を示してる。
【００２１】
図３〜図９に示すように、本発明実施形態の充電器２０は、表ケース２２と裏ケース２３及び栓刃格納部２４を有している。
【００２２】
上記表ケース２２は、それぞれが裏ケース２３側に湾曲した二つの湾曲腕部２２ａ，２２ａと、それら二つの湾曲腕部２２ａ，２２ａの間に設けられ且つ上記携帯電話端末１０の短尺方向の幅よりも少なくとも広くなされた切り欠き部２２ｃとを有している。すなわち、本実施形態の表ケース２２において、上記二つの湾曲腕部２２ａ，２２ａ及び切り欠き部２２ｃは、上記携帯電話端末１０が本実施形態の充電器２０に載設される時に、当該携帯電話端末１０を、その短尺方向の両側から挟み込むようにして保持可能となされている。
【００２３】
また、当該表ケース２２の上記裏ケース３２側の面には、クッション部２９が貼り付けられている。当該クッション部２９は、上記携帯電話端末１０が本実施形態の充電器２０に載設された時に、当該携帯電話端末１０の表面に対する傷つき防止と、当該携帯電話端末１０の位置ずれ防止のために設けられている。
【００２４】
上記裏ケース２３は、上記表ケース２２に相対応して設けられており、その内部には、上記携帯電話端末１０の二次側コイル１１に対して電流又は電圧を誘起させる磁束或いは磁力線を発生させるための一次側コイル２１が設けられている。上記一次側コイル２１は、リング状或いはスパイラル状に巻回された扁平コイルとなされており、当該充電器２０の裏ケース２３の筐体内で且つ扁平なコイル面側が上記表ケース２２側に向くように配置されている。
【００２５】
また、当該裏ケース２３の上記表ケース２２側の面には、上記携帯電話端末１０の短尺方向の幅よりも少なくとも広くなされた溝部が設けられている。すなわち当該溝部は、上記携帯電話端末１０を、その短尺方向の両側から挟み込むようにして保持すると共に、携帯電話端末１０の長尺方向へ多少なりとも摺動可能にするために設けられている。
【００２６】
また、裏ケース２３の上記表ケース２２側の面上で、上記表ケース２２の二つの湾曲腕部２２ａ，２２ｂに相対応した他方の端部２２ｃ側には、携帯電話端末１０が上記溝部に挿入された際に、その携帯電話端末１０の長尺方向の筐体端部と当接して当該端末１０の位置及び移動（例えば滑り落ち）を規制すると同時に、携帯電話端末１０の二次側コイル１１と当該裏ケース２３内の一次側コイル２１との位置合わせを行うための、ポール状或いは板状等の位置規制部２７が設けられている。なお、当該位置規制部２７は、上記裏ケース２３の面上の高さが変化しないような固定長の部材により形成されていても良いし、その高さを任意に変更可能とするための伸縮構造を有していても良い。また、当該位置規制部２７の上記裏ケース２３の面上の配置位置についても、その位置が変化しない固定位置に取り付けられていても良いし、その位置を例えば上記溝部の溝方向へ任意に移動可能とするための位置調整構造を有していても良い。
【００２７】
また、本実施形態の充電器２０において、上記表ケース２２と裏ケース２３の相対応する両面上には、例えば四つの伸縮アーム部（図４，図５には二つの伸縮アーム部２５，２６のみ示す）が取り付けられている。なお、伸縮アーム部の数は４個に限定されず、二つ或いは三つ等であっても良い。
【００２８】
上記伸縮アーム部２５は、例えば一方の腕部２５ａ内に他方の腕部２５ｂをその軸方向へ収納及び引き出し可能（つまりそれら二つの腕部を合わせて伸縮可能）となされている。また、伸縮アーム部２５の一方の腕部２５ａの基底部（腕部の両端部のうち開放端でない方の端部、以下同様とする。）には回転軸４３が設けられており、当該回転軸４３は裏ケース２３の面上に設けられた台座部２５ｃに軸支されている。また、上記伸縮アーム部２５の他方の腕部２５ｂの基底部には回転軸４１が設けられており、当該回転軸４１は表ケース２２の面上に設けられた台座部２５ｄに軸支されている。同様に、伸縮アーム部２６は、一方の腕部２６ａ内に他方の腕部２６ｂをその軸方向へ収納及び引き出し可能（伸縮可能）となされており、上記一方の腕部２６ａの基底部には回転軸４４が設けられており、当該回転軸４４は裏ケース２３の面上に設けられた台座部２６ｃに軸支され、他方の腕部２６ｂの基底部には回転軸４２が設けられており、当該回転軸４２は表ケース２２の面上に設けられた台座部２６ｄに軸支されている。なお、伸縮アーム部２５，２６は、無段階伸縮で且つ任意の伸縮位置でその伸縮を止める機構を備えていても良く、伸縮位置を段階的に設定できる機構を備えていても良い。
【００２９】
すなわち、本実施形態の充電器２０によれば、上記表ケース２２に設けられた二つの湾曲腕部２２ａ，２２ａ及び切り欠き部２２ｃや裏ケース２２の溝部により、携帯電話端末１０がその短尺方向に動いてしまわないように保持し、また、伸縮可能な伸縮アーム部２５，２６と表ケース２２及び裏ケース２３により、携帯電話端末１０がその厚み方向に動いてしまわないように保持し、さらに、上記位置規制部２７により、携帯電話端末１０がその長尺方向に移動してしまわないように保持している。
【００３０】
また本実施形態の充電器２０によれば、図７や図９に示すように、表ケース２２と裏ケース２３との間の間隔を上記伸縮アーム部２５，２６の伸縮可能幅に応じて変更及び調整することで、厚みが異なる携帯電話端末を保持可能となっている。
【００３１】
また本実施形態の充電器２０によれば、上記回転軸４１〜４４の回転により、一例として図８のように、上記表ケース２２と裏ケース２３とを上記回転軸４１〜４４の回転可能な方向へ相対的に移動させることが可能となっている。なお、回転軸４１〜４４は、無段階回転で且つ任意の回転位置でその回転を止める機構を備えていても良く、回転位置を段階的に設定できる機構を備えていても良い。
【００３２】
ここで、本実施形態において、図８のような使用形態は、本実施形態の充電器２０を例えば携帯電話端末を充電可能な置き台として使用する場合に採用することができる。このように、本実施形態の充電器２０を図８のような使用形態で置き台として使用する場合、上記裏ケース２３と栓刃格納部２４の端部に設けられた傾斜面２８と上記表ケース２２の端部２２ｂとが机上等に接触することになり、当該充電器２０は安定した状態で机上等に載設可能となる。言い換えると、本実施形態の充電器２０は、例えば図８のような使用形態で置き台として使用する場合に、上記裏ケース２３及び栓刃格納部２４の端部に設けられた傾斜面２８と、上記表ケース２２の端部２２ｂとが、略々一直線上に並ぶようになされている。
【００３３】
また、本実施形態の充電器２０の栓刃格納部２４は、上記裏ケース２３の、上記表ケース２２側の面に対する背面側に設けられている。栓刃格納部２４には、家庭用コンセントに接続可能な栓刃部３０が設けられており、当該栓刃部３０は、回転軸３１により、栓刃格納部２４の収納溝部３２内に収納された状態と、その収納溝部３２から栓刃が引き起こされた状態とを取り得る構造を有している。当該栓刃格納部２４の内部には、ＡＣアダプタ回路が内蔵されている。そして、本実施形態の充電器２０は、上記栓刃部３０が収納溝部３２から引き起こされ、その栓刃が家庭用コンセントに接続された時には、当該内蔵ＡＣアダプタ回路からの電力を上記裏ケース２３内の一次側コイル２１に供給するようになされている。
【００３４】
また、本実施形態の充電器２０において、上記栓刃格納部２４には、図示しないＡＣアダプタにコード５１で繋がれたＩ／Ｏコネクタ５０の差し込み口も設けられている。すなわち、本実施形態の充電器２０は、上記Ｉ／Ｏコネクタ５０が接続された場合には、当該Ｉ／Ｏコネクタ５０を介してＡＣアダプタから供給された電力を、上記裏ケース２３内の上記一次側コイル２１に供給するようになされている。なお、上記Ｉ／Ｏコネクタ５０は、例えば図８のように、本実施形態の受電器２０を置き台として使用する場合などに接続される。
【００３５】
このように、本実施形態にかかる充電器２０は、栓刃部３０を栓刃格納部２４から引き起こして家庭用コンセントに接続した場合には、その家庭用コンセントから得られる電力を、上記栓刃格納部２４内のＡＣアダプタ回路を通じて一次側コイル２１へ供給可能となされ、一方、Ｉ／Ｏコネクタ５０を栓刃格納部２４の差し込み口に接続した場合には、そのＩ／Ｏコネクタを通じてＡＣアダプタから得られる電力を一次側コイル２１へ供給可能となされている。なお、本実施形態の充電器２０は、栓刃部３０が家庭用コンセントに接続された場合と、Ｉ／Ｏコネクタ５０を介してＡＣアダプタが接続された場合とで、一次側コイル２１への電力供給を自動的に切り替え可能となされており、また例えば、栓刃部３０と家庭用コンセントの接続、及び、Ｉ／Ｏコネクタ５０を介したＡＣアダプタの接続の両者が同時に行われた場合には、何れか一方を優先的に使用することも可能となされている。
【００３６】
〔充電回路のブロック構成〕
図１０には、充電器２０側の充電用回路構成と、携帯電話端末側の受電用回路構成の概略的なブロック図を示す。
【００３７】
図１０において、充電器２０の一次側回路７１には、栓刃部３０に接続された家庭用コンセントからのＡＣ１００Ｖの電源、或いは、Ｉ／Ｏコネクタ５０を介してＡＣアダプタから供給された電源が入力される。一次側回路７１は、供給された電源を所定の高周波電流に変換して一次側コイル２１へ供給する。これにより、一次側コイル２１では、コイル内を流れる上記高周波電流に応じた磁束或いは磁力線が生成される。
【００３８】
携帯電話端末の二次側コイル１１では、充電器２０の一次側コイル２１からの磁束或いは磁力線により電流又は電圧が誘起される。当該二次側コイル１１に誘起された電流又は電圧は、保護回路である二次側回路８１によりバッテリ８０の充電電力に変換される。これにより、バッテリ８０は充電される。
【００３９】
〔まとめ〕
以上説明したように、本実施形態にかかる充電器２０によれば、伸縮アーム部２５，２６により表ケース２２と裏ケース２３の間隔を任意に変更及び調整でき、それら表ケース２２と裏ケース２３の間に携帯電話端末を挟み込む（挟持する）と同時に、充電器２０の一次側コイル２１と携帯電話端末の二次側コイル１１の両コイル面の対向位置を合わせることができるため、例えば携帯電話端末１０，６０のような厚みの異なる端末（例えば異なる機種の端末）であってもそれらをそれぞれ充電することができ、したがって、一台の充電器２０により複数の機種の携帯電話端末を外出先等で充電する場合にも対応可能である。
【００４０】
また、本実施形態の充電器２０は、表ケース２２と裏ケース２３の間の間隔を任意に変更可能であり、表ケース２２と裏ケース２３の間隔を最小にすれば、非常にコンパクトな大きさとなり、外出先等に当該充電器２０を持ち出す際にも、嵩張らず持ち運びが非常容易となる。
【００４１】
また、本実施形態の充電器２０によれば、栓刃部３０を家庭用コンセントに差し込んで使用する充電方式と、Ｉ／Ｏコネクタ５０を通じてＡＣアダプタを使用する充電方式の両方の方式が使用可能となされているため、使用者がそれら何れかの充電方式のうち用途に応じた最適な方式を適宜選択可能であり、したがって例えば、外出先で携帯電話端末の充電が必要となるような場合には、長いコードが嵩張り且つ扱いにも困るＡＣアダプタを持ち出すことなく外出先等で携帯電話端末の充電が可能となり、一方で、自宅等ではＡＣアダプタを用いて携帯電話端末を充電することが可能となる。
【００４２】
その他、本実施形態の充電器２０によれば、非接触型の無接点充電方式を採用しているため、例えば旅先の洗面所等に設けられているコンセントで携帯電話端末を充電するような場合にも、水濡れなどによる影響を受けずに充電することができ、また、水濡れによる接点部の腐食などの問題も発生しない。
【００４３】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００４４】
上述した実施形態の充電器２０の形態は一例であり、他のデザインであっても良い。
【００４５】
また、充電器２０の一次側コイル２１は、裏ケース２３ではなく、表ケース２２側に設けられていても良い。この場合、一次側回路７１にて生成された高周波電流は、例えば伸縮アーム部内等を通されたケーブル等を通じて表ケース２２の一次側コイル２１に送られることになる。なお、一次側回路７１も表ケース２２内に設けるようにした場合には、栓刃部３０或いはＩ／Ｏコネクタ５０から供給された電力が、例えば伸縮アーム部内等を通されたケーブル等を通じて表ケース２２の一次側回路７１に送られることになる。さらに、充電器２０の一次側コイル２１は、裏ケース２３と表ケース２２の両方に設けられていても良く、この場合、携帯電話端末の二次側コイル１１が何れのケース側にあるかの保持状態によって、裏ケース２３と表ケース２２の何れか一方の一次側コイル２１を使用するように切り替えても良い。
【００４６】
また、携帯電話端末を保持する際には、表ケース２２と裏ケース２３とで挟み込む場合だけに限定されず、例えば、一次側コイル１１と二次側コイル２１の両者の扁平なコイル面同士の位置合わせを行いつつ携帯電話端末を保持できる構成であれば、他の構成であっても良い。
【図面の簡単な説明】
【００４７】
【図１】電磁誘導により充電器から充電電力が伝送される二次側コイルを筐体内部に備えた携帯電話端末を正面ディスプレイ側から観た概略外観図である。
【図２】電磁誘導により充電器から充電電力が伝送される二次側コイルを筐体内部に備えた携帯電話端末を筐体側面側から観た概略外観図である。
【図３】携帯電話端末を電磁誘導による非接触型無接点充電方式により充電する本発明実施形態の充電器を正面側から観た概略外観図である。
【図４】携帯電話端末を電磁誘導による非接触型無接点充電方式により充電する本発明実施形態の充電器を右側面側から観た概略外観図である。
【図５】携帯電話端末を電磁誘導による非接触型無接点充電方式により充電する本発明実施形態の充電器を図３中の一点鎖線にて切断して右側から観た概略断面図である。
【図６】携帯電話端末を電磁誘導による非接触型無接点充電方式により充電する本発明実施形態の充電器を図３の正面に対する背面側から観た概略外観図である。
【図７】携帯電話端末を電磁誘導による非接触型無接点充電方式により充電する本発明実施形態の充電器を携帯電話端末を保持させて図５同様に右側から観た概略断面図である。
【図８】携帯電話端末を電磁誘導による非接触型無接点充電方式により充電する本発明実施形態の充電器を携帯電話端末の置き台として使用する場合の右側から観た概略断面図である。
【図９】携帯電話端末を電磁誘導による非接触型無接点充電方式により充電する本発明実施形態の充電器に、図７や図８よりも厚みが大きい携帯電話端末を保持させて図７同様に右側から観た概略断面図である。
【図１０】充電器側の充電用回路構成と、携帯電話端末側の受電用回路構成の概略的なブロック図である。
【符号の説明】
【００４８】
１０，６０  携帯電話端末、１１  二次側コイル、１２  ディスプレイ、２０  充電器、２１  一次側コイル、２２  表ケース、２３  裏ケース、２４  栓刃格納部、２５，２６  伸縮アーム部、２５ａ，２５ｂ，２６ａ，２６ｂ  腕部、２５ｃ，２５ｄ，２６ｃ，２６ｄ  台座部、２７  位置規制部、２８  傾斜面、２９  クッション部、３０  栓刃部、３２  収納溝部、３１，４１〜４４  回転軸、５０  Ｉ／Ｏコネクタ、５１  コード、７１  一次側回路、８０  バッテリ、８１  二次側回路
【図１】
2008067532.tif 000003
【図２】
2008067532.tif 000004
【図３】
2008067532.tif 000005
【図４】
2008067532.tif 000006
【図５】
2008067532.tif 000007
【図６】
2008067532.tif 000008
【図７】
2008067532.tif 000009
【図８】
2008067532.tif 000010
【図９】
2008067532.tif 000011
【図１０】
2008067532.tif 000012